(57)【要約】【課題】  既存の浴槽などの排水口に取り付けて使用することができ、髪の毛などの異物を除去しつつ排水を行なうことができると共に、しかも入浴などして槽を使用しているときに邪魔になることがない排水口用異物除去具を提供する。【解決手段】  異物を濾過して水を通過させる多数の小孔１を有する中空のフィルター本体部２に、槽３の底部の排水口４に挿着される取付用開口部５を設ける。フィルター本体部２を背が低くなるように変形自在に形成する。槽３の排水口４に取付用開口部５を差し込むことよって、排水用異物除去具Ａを既存の浴槽などに取り付けて使用することができる。またフィルター本体部２を押し潰すなどして背が低くなるようにしておくことによって、入浴などして槽３内を使用する際に排水用異物除去具Ａが邪魔になるようなことがなくなる。【選択図】  図１
2007009651.tif 000002
【特許請求の範囲】
【請求項１】
異物を濾過して水を通過させる多数の小孔を有する中空のフィルター本体部に、槽の底部の排水口に挿着される取付用開口部を設け、フィルター本体部を背が低くなるように変形自在に形成して成ることを特徴とする排水口用異物除去具。
【請求項２】
フィルター本体部内に、フィルター本体部の背を低くした状態で、取付用開口部の内周を閉塞する止水部を設けて成ることを特徴とする請求項１に記載の排水口用異物除去具。
【請求項３】
フィルター本体部の背を低くした状態で、フィルター本体部の外側に脱着自在に被せてフィルター本体部の外面を覆う封水カバーを備えて成ることを特徴とする請求項１又は２に記載の排水口用異物除去具。
【請求項４】
フィルター本体部の外側に被せて脱着自在に装着される、袋状の補助フィルターを備えて成ることを特徴とする請求項１乃至３のいずれかに記載の排水口用異物除去具。
【発明の詳細な説明】
【技術分野】
【０００１】
本発明は、浴槽や洗面槽など槽の底部に設けられる排水口に取り付けて使用され、排水口から排水される水中から髪の毛等の異物を除去する排水口用異物除去具に関するものである。
【背景技術】
【０００２】
入浴したあと、浴槽の底部の排水口の栓を開いて、浴槽内の水を排水するにあたって、浴槽の水には髪の毛や垢などの異物が含まれている。従って、浴槽内の水を排水すると、水と共に髪の毛や垢などの異物が排水配管に流れ込み、排水配管がこれらの異物で閉塞されることになり、排水配管の頻繁な清掃が必要になるという問題があった。
【０００３】
このため、浴槽の底部の排水口の内周を塞ぐように、網などで形成されるフィルターを取り付けることによって、髪の毛や垢などの異物をフィルターで除去した状態で、浴槽内の水を排水口から排水することが行なわれている。しかし、口径が小さい排水口の内周にフィルターを取り付けると、排水口を通過する水の流量が大きく低下し、浴槽内の水を排水する効率が悪くなって排水に長時間を要することになる。
【０００４】
そこで、例えば図７に示すように、浴槽などの槽３の底部に設けられる排水口４の下側に網状袋体１０を取り付け、排水口４を通して流出する槽３内の水を網状袋体１０に通過させ、髪の毛や垢などの異物を網状袋体１０で除去した後に排出するようにしたものが提案されている。図７において、１１は止水栓、１２は排水管である。そしてこのものでは、排水口４を通して流出する水は広い面積の網状袋体１０を通過して排出されるので、槽３内から排水口４を通して流出する水の流量が低下することはなく、槽３内の水を排水する効率が悪くなるというような問題はなくなるものである（特許文献１参照）。
【特許文献１】特開平１０−１８３７１４号公報
【発明の開示】
【発明が解決しようとする課題】
【０００５】
ここで、網状袋体１０は汚れて目詰まりすると水の通過が悪くなるので、清掃する必要がある。しかし、上記の図７のものでは、網状袋体１０は排水口４の下側において槽３の下面に取り付けられているので、網状袋体１０を簡単に取り外すことができない。このため、槽３の底部に大きな開口１３を形成し、内周が排水口４として形成されたリング部材１４の下面に網状袋体１０を取り付けるようにしてある。そしてリング部材１４を開口１３に嵌め込むことによって、図７（ａ）のように網状袋体１０を槽３の底部の下面に取り付け、またリング部材１４を開口１３から取り外すことによって、図７（ｂ）のように網状袋体１０をリング部材１４と共に取り外すことができるようにしている。
【０００６】
従って図７のものでは、浴槽などの槽３にリング部材１４を嵌め込む大きな開口１３が形成されていることが必要であり、槽３はこの大きな開口１３を形成した特別製のものであることが前提となる。このため、小さな排水口４を有する既存の浴槽などにそのまま適用することはできないものであって、実用性のうえで問題を有するものであった。
【０００７】
本発明は上記の点に鑑みてなされたものであり、既存の浴槽などの排水口に取り付けて使用することができ、髪の毛などの異物を除去しつつ排水を行なうことができると共に、しかも入浴などして槽を使用しているときに邪魔になることがない排水口用異物除去具を提供することを目的とするものである。
【課題を解決するための手段】
【０００８】
本発明の請求項１に係る排水口用異物除去具は、異物を濾過して水を通過させる多数の小孔１を有する中空のフィルター本体部２に、槽３の底部の排水口４に挿着される取付用開口部５を設け、フィルター本体部２を背が低くなるように変形自在に形成して成ることを特徴とするものである。
【０００９】
この発明によれば、槽３の排水口４に取付用開口部５を差し込むことによって、排水口用異物除去具Ａを既存の浴槽などに取り付けて使用することができるものであり、そして槽３内の水はフィルター本体部２を通過した後に、取付用開口部５を通して排水口４から排水されるものであって、フィルター本体部２で髪の毛や垢などの異物を除去した状態で排水することができ、排水配管がこれらの異物で閉塞されることを防いで、排水配管を頻繁に清掃する必要をなくすことができるものである。また、フィルター本体部２を押し潰すなどして背が低くなるようにしておくことによって、入浴などして槽３内を使用する際に排水用異物除去具Ａが邪魔になるようなことがなくなるものである。
【００１０】
また請求項２の発明は、請求項１において、フィルター本体部２内に、フィルター本体部２の背を低くした状態で、取付用開口部５の内周を閉塞する止水部６を設けて成ることを特徴とするものである。
【００１１】
この発明によれば、フィルター本体部２を押し潰すなどして背を低くすると、同時に取付用開口部５を止水部６で閉じることができ、排水口４から排水されない状態にして槽３内に水を溜めることができるものである。
【００１２】
また請求項３の発明は、請求項１又は２において、フィルター本体部２の背を低くした状態で、フィルター本体部２の外側に脱着自在に被せてフィルター本体部２の外面を覆う封水カバー７を備えて成ることを特徴とするものである。
【００１３】
この発明によれば、フィルター本体部２を押し潰すなどして背を低くした状態で封水カバー７を被せることによって、排水口４から排水されない状態にして槽３内に水を溜めることができるものである。
【００１４】
また請求項４の発明は、請求項１乃至３のいずれかにおいて、フィルター本体部２の外側に被せて脱着自在に装着される、袋状の補助フィルター８を備えて成ることを特徴とするものである。
【００１５】
この発明によれば、排水の際に槽３内の水は補助フィルター８を通過した後にフィルター本体部２を通して排水されるものであり、水中の異物は補助フィルター８の表面に付着するので、フィルター本体部２が異物で汚れることを低減することができ、補助フィルター８を取り替えることによって、フィルター本体部２を頻繁に掃除する必要がなくなるものである。
【発明の効果】
【００１６】
本発明に係る排水口用異物除去具Ａは、既存の浴槽などの排水口４に取り付けて、髪の毛などの異物を除去しつつ槽３内の水の排水を行なうことができるものであり、しかも入浴などして槽内を使用する際には排水口用異物除去具Ａの背を低くして邪魔にならないようにすることができるものである。
【発明を実施するための最良の形態】
【００１７】
以下、本発明を実施するための最良の形態を説明する。
【００１８】
図１及び図２は本発明の実施の形態の一例を示すものである。フィルター本体部２は下面が開口し上面が端面板部１８で閉塞された中空の有底円筒状に形成されるものであり、下面の開口には円筒状の取付用開口部５が下方へ突出して一体に設けてある。このフィルター本体部２には取付用開口部５を除く全面、すなわち外周面及び上面に、水は通過させるが髪の毛や垢の粒子などの異物は通過させない程度の小さい多数の小孔１が形成してある。小孔１はフィルター本体部２に穿孔して形成するようにしてもよいが、フィルター本体部２を網状のもので作製して網目として小孔１が形成されるようにしてもよい。
【００１９】
このフィルター本体部２は外周壁を蛇腹１７として形成してあり、外力を加えない状態では蛇腹１７が広がって、フィルター本体部２は背が高い状態に保持されているが、下方へ押圧することによって、蛇腹１７を押し縮めてフィルター本体部２の背を低くすることができるようにしてある。このようにフィルター本体部２は蛇腹１７によって伸縮するように変形自在に形成してある。
【００２０】
またフィルター本体部２の上面を閉塞する端面板部１８の中央部の下面には、フィルター本体部２内において止水部６が一体に突設してある。この止水部６は円柱状に形成してあり、止水部６の外径は、取付用開口部５内に嵌め込まれて取付用開口部５の内周を閉塞する大きさに形成してある。フィルター本体部２には上記のように全面に小孔１が形成されているが、この止水部６の部分には小孔１を形成しないものである。
【００２１】
さらに端面板部１８の上面にはリング状の紐受け１９が設けてあり、チェーンなどの紐体２０の一端がこの紐受け１９に結合してある。紐体２０の一端には開閉自在なストッパー２１を設けたフック２２が取り付けてあり、このフック２２を紐受け１９に引っ掛けることによって、紐受け１９に紐体２０を結合するようにしてある。ストッパー２１を回動させて開くことによって、フック２２を紐受け１９から外すことができるものであり、紐体２０は紐受け１９から取り外し自在になっている。
【００２２】
上記の取付用開口部５の外径は、浴槽や洗面槽などの槽３に設けられている排水口４の内径よりも小さい寸法に形成してあり、排水口４の内径に外径を等しく形成したリング状パッキン２４を取付用開口部５の外周に嵌め込んで取り付けるようにしてある。排水口４の内径寸法は浴槽や洗面槽などの機種によって異なるので、排水口４の内径寸法に応じた外径のリング状パッキン２４を取付用開口部５に取り付けることによって、各種の内径寸法の排水口４に対応することができるものである。従って、リング状パッキン２４は外径が異なる複数種のものが準備されるものであり、排水口４の大きさに合わせたリング状パッキン２４を選択して、取付用開口部５に取り付けられるものである。リング状パッキン２４は接着等で取付用開口部５の外周に固定することができる。
【００２３】
上記のようにして本発明に係る排水口用異物除去具Ａが形成されるものであり、浴槽や洗面槽などの槽３の底部に設けられた排水口４に、リング状パッキン２４によって取付用開口部５を差し込んで挿着することによって、排水口４に排水口用異物除去具Ａを図１（ａ）のように取り付けることができるものである。そして、排水口用異物除去具Ａの上面を押圧して蛇腹１７を押し縮め、フィルター本体部２の背が低くなるようにすると、図１（ｂ）のようにフィルター本体部２の端面板部１８に突設した止水部６が取付用開口部５の内周に押し込まれて嵌合し、取付用開口部５が閉塞される。このように止水部６が取付用開口部５内に嵌合することによって、その嵌合結合力で、蛇腹１７を縮めてフィルター本体部２の背を低くした状態に保持されるものである。
【００２４】
この図１（ｂ）のように排水口用異物除去具Ａの取付用開口部５を止水部６で閉塞することによって、槽３の排水口４は取付用開口部５と止水部６とで閉じられることになるので、槽３内に水を張って貯水することができるものであり、入浴や洗面などに使用することができるものである。槽３内を入浴や洗面などに使用するにあたって、槽３の底部の排水口４に装着された排水口用異物除去具Ａは背が低い状態に保持されているので、排水口用異物除去具Ａが邪魔になるというようなことがなくなるものである。
【００２５】
次に、槽３内の水を排出するにあたっては、紐体２０を上方へ引くと、排水口用異物除去具Ａのフィルター本体部２の上端部が引き上げられ、蛇腹１７が延びながら、取付用開口部５から止水部６が引き抜かれる。取付用開口部５から止水部６が外れると、蛇腹１７を縮めてフィルター本体部２の背を低く保持する力が解除されるので、図１（ａ）のように蛇腹１７が延び、フィルター本体部２は背が高い状態になる。そして、槽３内の水は小孔１を通過してフィルター本体部２内に流れ込み、取付用開口部５を通過して、排水口４から槽３の外部に排水されるものである。このように水がフィルター本体部２の小孔１を通過する際に、水中の髪の毛や垢などの固形異物は濾過され、これらの異物が除去された水が排水口４から排水されるものである。従って、排水配管がこれらの異物で閉塞されることを防ぐことができ、排水配管を頻繁に清掃する必要をなくすことができるものである。また、フィルター本体部２の面積は排水口４の開口面積よりも遥かに大きいので、排水口４を通して流出する水の流量を低下させることはなく、槽３内の水を排水する効率が悪くなるというようなことはないものである。
【００２６】
上記のように排水口用異物除去具Ａのフィルター本体部２で水を濾過して排出することによって、フィルター本体部２の外周に髪の毛や垢などの異物が付着するが、排水口用異物除去具Ａを槽３の排水口４から抜き外すことによって、フィルター本体部２の外周から異物を除去する掃除を容易に行なうことができるものである。
【００２７】
図３及び図４の実施の形態は、補助フィルター８を備えて本発明に係る排水口用異物除去具Ａを形成するようにしたものであり、補助フィルター８を用いることによって、上記のようなフィルター本体部２の掃除を不要にし、あるいは掃除の回数を減らすことができるようにしたものである。補助フィルター８は伸縮性を有する柔軟な織布や編布など薄いシート状材料で図４のように下面が開口する有底円筒状の袋状に形成されるものであり、フィルター本体部２の小孔１と同等の小さい細孔２７が全面に形成してある。この細孔２７は、水は通過させるが、髪の毛や垢の粒子は通過させない大きさに形成されるものである。また補助フィルター８の上端部にはフィルター本体部２の上面に設けた紐受け１９を通すことができる小さな開口部２８が穿設してある。フィルター本体部２や取付用開口部５は図１及び図２のものとほぼ同様に形成してあるが、フィルター本体部２の下端の外周の数箇所に係止突起２９が突設してある。
【００２８】
そして補助フィルター８をフィルター本体部２の外側に被せ、補助フィルター８の下端部の細孔２７を係止突起２９に引っ掛けることによって、図３（ａ）（ｂ）のように補助フィルター８をフィルター本体部２に装着することができるものである。このとき、フック２２のストッパー２１を回動させて開いて、フック２２を紐受け１９から外すことによって紐体２０を取り外した状態で、補助フィルター８をフィルター本体部２の外側に被せるものであり、補助フィルター８をフィルター本体部２の外側に被せた後に、補助フィルター８の開口部２８から突出する紐受け１９に再度フック２２を引っ掛けて、紐受け１９に紐体２０を結合させるようにするものである。
【００２９】
このものにあって、上記と同様に、図３（ｂ）のように蛇腹１７を縮めてフィルター本体部２の背を低くし、取付用開口部５を止水部６で閉塞することによって、槽３内に水を張ることができる。また槽３内の水を排出するときには、上記と同様に、紐体２０を引いて取付用開口部５から止水部６を引き抜くと、図１（ａ）のように蛇腹１７が延びてフィルター本体部２は背が高い状態になる。そして槽３内の水は補助フィルター８の細孔２７を通過した後、小孔１を通してフィルター本体部２内に流れ込み、取付用開口部５を通過して、排水口４から槽３の外部に排水される。このように補助フィルター８を通過する際に、水中の髪の毛や垢などの固形異物は補助フィルター８で濾過されることになるので、異物は補助フィルター８の外面に付着し、フィルター本体部２が異物で汚れることを低減することができるものである。そして、補助フィルター８が汚れて目詰まりした場合には、補助フィルター８をフィルター本体部２から取り外して新しい補助フィルター８に取り替えればよい。このように補助フィルター８を使い捨てにすることによって、掃除などを特に行なう必要がなくなり、取り扱いが容易になるものである。
【００３０】
図５は本発明の実施の形態の他の一例を示すものであり、槽３の排水口４を閉塞するための封水カバー７を備えて本発明に係る排水口用異物除去具Ａを形成するようにしたものである。この実施の形態では、フィルター本体部２に止水部６を設ける必要はない。封水カバー７は下面が開口する有底円筒状に形成されるものであり、その内径はフィルター本体部２の外径とほぼ等しい寸法に、また高さはフィルター本体部２の蛇腹１７を押し縮めた状態での高さとほぼ等しい寸法に形成してある。そして封水カバー７の下端の内周にはねじ３０が設けてあり、フィルター本体部２の下端の外周に、このねじ３０と螺合するねじ３１が設けてある。
【００３１】
このものでは、フィルター本体部２の上に封水カバー７を被せ、この状態でフィルター本体部２を下方へ押圧して蛇腹１７を押し縮め、フィルター本体部２の背が低くなるようにした状態で、封水カバー７を回してフィルター本体部２のねじ３１に封水カバー７のねじ３０を螺合させる。このように封水カバー７をフィルター本体部２にねじ止め固定することによって、図５（ｂ）のように蛇腹１７を縮めてフィルター本体部２の背を低くした状態に保持することができるものであり、フィルター本体部２の外側を封水カバー７で覆って密閉することができるものである。従ってこの状態では、槽３の排水口４は封水カバー７で閉じられることになるので、槽３内に水を張ることができるものである。また槽３内の水を排出するにあたっては、封水カバー７を回してねじ３０，３１の螺合を外すと、蛇腹１７を縮めてフィルター本体部２の背を低く保持している力が解除されるので、図５（ａ）のように蛇腹１７が延び、フィルター本体部２は背が高い状態になる。そして、槽３内の水は小孔１を通過して異物が除去された後、フィルター本体部２内に流れ込み、取付用開口部５を通過して、排水口４から槽３の外部に排水されるものである。
【００３２】
尚、上記の図１〜図５の各実施例において、フィルター本体部２を蛇腹１７で形成することによって、伸縮して変形自在になるようにしたが、ゴムなど弾性部材で形成して、変形自在になるようにしてもよい。
【００３３】
図６は本発明の他の実施の形態を示すものであり、浴槽や洗面槽などの槽１の排水口４に取り付けられる止水栓の形態に排水口用異物除去具Ａを形成するようにしたものである。このものは、槽１の排水口４の内周に嵌め込まれるリング状の下部栓体３３と、下部栓体３３の中央の開口部３４に嵌め込まれる止水部６を下面に突設した上部栓体３６と、下部栓体３３と上部栓体３６の間に取り付けられる上下両端が開口した円筒状のフィルター筒３７からなるものである。フィルター筒３７は柔軟な織布や編布など薄いシート状材料で形成されるものであり、水は通過させるが、髪の毛や垢の粒子は通過させない大きさの小孔１が全面に形成してある。また下部栓体３３の上端の外周の複数箇所に係止突起３８が、上部栓体３６の外周の複数箇所に係止突起３９がそれぞれ設けてある。さらに上部栓体３６の上面にはチェーンなどの紐体２０の一端が結合してあり、下部栓体３３の上面には開口部３４を囲むようにＯリング４０が取り付けてある。そしてフィルター筒３７の上端部の小孔１を係止突起３９に引っ掛け係止することによって、上部栓体３６の外周にフィルター筒３７の上端部を結合すると共に、フィルター筒３７の下端部の小孔１を係止突起３８に引っ掛け係止することによって、下部栓体３３の外周にフィルター筒３７の下端部を結合し、排水口用異物除去具Ａを形成することができるものである。この排水口用異物除去具Ａにおいて、上部栓体３６とフィルター筒３７とでフィルター本体２が形成され、下部栓体３３で取付用開口部５が形成されるものである。
【００３４】
このものにあって、下部栓体３３は槽３の底部の排水口４に嵌め込んで取り付けられるものであり、図６（ｂ）のように上部栓体３６の止水部６を下部栓体３３の開口部３４に差し込むことによって開口部３４を閉塞し、上部栓体３６と下部栓体３３とで排水口４を閉じることができる。従ってこの状態で、槽３内に水を張って貯水することができるものであり、下部栓体３３のＯリング４０が上部栓体３６の下面に密接することによって封水性が高まるものである。そして槽３内の水を排出するにあたっては、紐体２０を引いて上部栓体３６を引き上げることによって、開口部３４から止水部６を引き抜き、フィルター筒３７を上方へ延ばして円筒状にすることができるものであり、槽３内の水はフィルター筒３７の小孔１を通過して濾過され、開口部３４を通して、排水口４から槽３の外部に排水されるものである。
【００３５】
尚、本発明は、浴槽や洗面槽などの槽３の他、貯溜した水を排水口４から排水するようにした槽３の全般に適用されるものである。
【図面の簡単な説明】
【００３６】
【図１】本発明の実施の形態の一例を示すものであり、（ａ）（ｂ）はそれぞれ断面図である。
【図２】同上の分解斜視図である。
【図３】本発明の実施の形態の他の一例を示すものであり、（ａ）（ｂ）はそれぞれ断面図である。
【図４】同上の分解斜視図である。
【図５】本発明の実施の形態の他の一例を示すものであり、（ａ）（ｂ）はそれぞれ断面図である。
【図６】本発明の実施の形態の他の一例を示すものであり、（ａ）（ｂ）はそれぞれ断面図である。
【図７】従来例を示すものであり、（ａ）（ｂ）はそれぞれ断面図である。
【符号の説明】
【００３７】
１  小孔
２  フィルター本体部
３  槽
４  排水口
５  取付用開口部
６  止水部
７  封水カバー
Ａ  排水口用異物除去具
【図１】
2007009651.tif 000003
【図２】
2007009651.tif 000004
【図３】
2007009651.tif 000005
【図４】
2007009651.tif 000006
【図５】
2007009651.tif 000007
【図６】
2007009651.tif 000008
【図７】
2007009651.tif 000009